(57)【要約】【目的】従来、  洗車ブラシのブラシ部分から水道水を噴出させながら、手操作で車体をこすって洗車する洗車用具が市販されているが、手作業での洗車は疲労が大きく、非効率的であり、改善が求められていた。【構成】自動車のハンディ型の洗車装置であって、吸水ホースを内蔵したパイプ状竿の先端に、電動モーターによって回転駆動される吸水ポンプや回転ブラシを備え、吸水ポンフによって吸水ホースを介して吸水された水を、回転ブラシに設けた噴射孔から水車翼による噴出力によって車体面に噴射させつつ、回転ブラシによって車体面の汚れを擦り取り、除去する。  また、濡れた車体を拭き取る際には回転ブラシをウエスの付いた回転板に取り替えて拭きあげる。【効果】本発明の電動洗車用具によれば、効率よく迅速な洗車が手軽に可能となる。【選択図】図１
2007030859.tif 000002
【特許請求の範囲】
【請求項１】
自動車のハンディ型洗車装置であって、吸水ホースを内蔵したパイプ状竿の先端に、電動モーターによって回転駆動される吸水ポンプや回転ブラシを備え、吸水ポンフによって吸水ホースを介して吸水された水を、回転ブラシに設けた噴射孔から水車翼による噴出力によって車体面に噴射させつつ、回転ブラシによって車体面の汚れを擦り取り、除去するごとく構成したことを特徴とする電動洗車装置。
【請求項２】
自動車のハンディ型洗車装置であって、電動モーターによって回転駆動される前記回転ブラシの代わりに回転ウエスを装備させたことを特徴とする特許請求の範囲第１項記載の電動洗車装置。
【発明の詳細な説明】
【発明の詳細な説明】
【０００１】この発明は電動洗車装置に関するもので、特に吸水ポンプと回転ブラシを備えたハンディタイプの洗車装置に関するものである。
【従来技術とその問題点】
【０００２】  従来、洗車ブラシのブラシ部分から水道水を噴出させながら、手操作で車体をこすって洗車する洗車用具が市販されているが、手作業での洗車は疲労が大きく、非効率的であり、改善が求められていた。
【発明が解決しようとする課題】
【０００３】本発明は前記のような欠点を除くために成されたもので、ハンディタイプで水の噴射手段を備え、ブラシ掛けが手動でなくて洗車作業が簡単に出来る手段を提供しようとするものである。
【課題を解決するための手段】
【０００４】  その為に本発明における水車式クリーナー（電動洗車装置）においては、吸水ホースを内蔵させた管状の竿の先端に電動モーター及びモーターで回転させる吸水ポンフ、回転ブラシ、水を噴射させる噴射口、水車扇等を設け、吸水ポンプによって、竿の内部に設けた吸水ホースを介して、水道水のみならず、バケツの水や川の水等から吸水した水を、モーターによって回転する吸水ポンプの水車扇によって、勢いよく車体面に噴射する手段と、同じモーターによって回転するスポンジ等のブラシとによって、車体面を回転ブラシで擦りつつ、車体面に向かって水道水を噴射させることにより車体の汚れを洗い流すものである。又、水車扇部分に洗剤注入口を設けて洗剤を注入し、洗剤入りの水道水を噴射させて洗車することも実施可能である。ついで、洗浄の後に車体の水分を拭き取る際には、前記のスポンジ付き回転板を、ウエスの付いた回転板に交換することによって、モーターによって回転するウエスを車体面に押しつけ、電動にて拭き取ることが可能である。ここで、管状の竿の先端部に設けられたモーター及び回転ブラシ部分は、竿との取り付け角度を数段階に変化させて固定可能な構造とされる。また、管状の竿の手元側端部には充電式バッテリーが設けられ、電源コードを介して前記モーターに電力が供給される。バッテリーは取り外して地面に配置して使用することも可能であり、他の電源として、ＡＣ１００Ｖ、車の１２Ｖ電源等も使用可能である。
また、管状の竿の先端部に設けられたモーター及び回転ブラシ部分は、竿との取り付け角度を数段階に変化させて固定可能な構造とされる。
【０００５】  本発明の電動洗車用具によれば、効率よく迅速な洗車が手軽に可能となる。
【発明を実施するための最良の形態】
【０００６】次に本発明の１実施例を、図面を参照して詳細に説明する。図１は本発明による電動洗車装置の構成図、図２は電動洗車装置の柄の手元部分の構成図である。図１において、１は水ポンプで、モーター２によって回転翼３を回転させ、吸水ホース４を介して外部の水源（図示略）から水を吸い上げ、噴射口５から噴射水６を噴射する。７は回転板で、モーター２によって回転し、回転板７に取り付けた回転ブラシ８を回転させる。回転ブラシ８は着脱式で、拭き取り用のウエス（図示略）を装着して濡れた車体を拭き取る作業を行う。９は長尺の柄として機能する中空パイプで、先端部に水ポンプ１やモーター２，回転ブラシ８等を装備し、中空パイプを人が手に握って、柄として操作することで、回転ブラシを車体に接触させて、車体面の洗浄を行うものである。中空パイプ９の内側中空部には、吸水ホース及び電源線１０が配管及び配線される。１１は中空パイプの手元側端部に設けた電源バッテリーで、電源線１０及びスイッチ１２を介してモーター２に電力を供給する。１３は中空パイプ９の先端に装備した回転ブラシの固定角度を調節可能とする角度調節金具である。
ここで、電源バッテリー１１は中空パイプ９と着脱式とし、電源バッテリー１１を地面に置き、延長電源ケーブル（図示略）を介して電源線１０に接続する手段も実施される。
又、吸水ホース４に水を供給する水源としては、主に水道水が利用されるが、その他バケツに汲んだ水、川や池の水を吸い上げて使用することも実施される。
また、濡れた車体を拭き取る際には回転ブラシをウエスの付いた回転板に取り替えて拭きあげる。さらに、回転ブラシ部分に設けた洗剤注入手段（図示省略）によって噴射水に洗剤を混入させることによって洗剤による洗車も実施される。
次いで、図２において、２０１は電動洗車装置の手元筐体部分で、握り部分２０２を手で握って電動洗車装置を手で保持する。２０３は着脱ソケットで、内臓した給水ホース４と外部の給水ホースとがホース着脱ソケット２０３によって着脱可能な状態で接続され、収納時には分離させて別々に収納可能である。２０４は電源線着脱コネクタで、内臓した電源線１０と外部の電源線とが電源線着脱コネクタ２０４によって着脱可能な状態で接続され、収納時には分離させて別々に収納可能である。２０５は電源線１０の途中に設けたスイッチで電源線１０の電力接続をＯＮ−ＯＦＦ制御する。
以上のような構成要素からなる電動洗車装置（水車式クリーナー）を使用して洗車を行うには、吸水ホース４の吸水口（図示略）を水源に水没させた後、スイッチ１２をＯＮにしてバッテリー１１から電力をモーター２に供給して回転させ、水ポンプ１の回転翼３を回転させて、水源から水を吸水すると共に、噴射口５から噴射水６を噴射させる。同時に、モーター２によって回転板７が回転し、回転板７に装着された回転ブラシ８を回転させる。しかる後、中空パイプ９を柄として手で持って操作し、回転ブラシ８を車体面に接触させ、噴射水６を噴射させつつ、車体の洗浄を行うものである。
また、実施例として、図２のごとく着脱コネクターによって外部電源線に接続して外部から電力を供給する手段について説明したが、他の実施例として図２に示した握り部分２０２の近傍にバッテリーを内臓させる手段も実施される。【０００７】本発明の電動洗車装置（水車式クリーナー）によれば、従来、洗車ブラシを手で動かして車体をこすりながら行っていた難儀な洗車を、より簡単に手軽な動作によって、軽作業にて洗車が可能となった。
【図面の簡単な説明】
【０００８】  図１は本発明による電動洗車装置（水車式クリーナー）の構成図。
図１において、１は水ポンプ、２はモーター、３は回転翼、４は吸水ホース、５は噴射口、６は噴射水、７は回転板、８は回転ブラシ、９は中空パイプ。１０は電源線、１１はバッテリー、１２はスイッチ、１３は角度調節金具である。さらに、図２において、２０１は電動洗車装置の手元筐体部分、２０２は握り部分、２０３はホース着脱ソケット、２０４は電源線着脱コネクタである。
【図１】
2007030859.tif 000003
【図２】
2007030859.tif 000004
【手続補正書】
【提出日】平成17年11月28日(2005.11.28)
【手続補正１】
【補正対象書類名】明細書
【補正の内容】
2007030859.tif 000005
2007030859.tif 000006
【手続補正書】
【提出日】平成18年2月17日(2006.2.17)
【手続補正１】
【補正対象書類名】手続補正書
【補正対象項目名】手続補正１
【補正方法】変更
【補正の内容】
【手続補正１】
【補正対象書類名】明細書
【補正対象項目名】０００８
【補正方法】変更
【補正の内容】
【０００８】
【図１】は本発明による電動洗車装置の構成図。図中の１は水ポンプ、２はモーター、３は回転翼、４は給水ポンプ、５は噴射口、６は噴射水、７は回転板、８は回転ブラシ、９は中空パイプ、１０は電源線、１１はバッテリー、１２はスイッチ、１３は角度調節金具である。
【図２】は電動洗車装置の柄の手元部分の構成図。図中２０１は電動洗車装置の手元筐体部分、２０２は握り部分、２０３はホース着脱ソケット、２０４は電源線着脱コネクタである。